【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】
所定領域からなる画像データ部分と、残りの領域の画像データと対応する参照フレームの同一領域における画像データとの差分からなる差分データ部分とに振り分けられたフレーム画像を量子化して符号化する符号化装置において、
上記フレーム画像の上記画像データ部分における実際の発生符号量及び上記差分データ部分における実際の発生符号量を算出する発生符号量算出手段と、
上記画像データ部分及び上記差分データ部分におけるそれぞれの上記実際の発生符号量に基づいて、次のフレーム画像における上記画像データ部分及び上記差分データ部分の目標発生符号量をそれぞれ算出する目標符号量算出手段と、
上記画像データ部分の目標発生符号量に対する実際の発生符号量の比率及び上記差分データ部分の目標発生符号量に対する実際の発生符号量の比率に基づいて、次のフレーム画像の画像データ部分を上記画像データ部分の目標発生符号量と同じ符号量に符号化する量子化ステツプサイズ及び上記次のフレーム画像の差分データ部分を上記差分データ部分の目標発生符号量と同じ符号量に符号化する量子化ステツプサイズをそれぞれ個別に算出する量子化値算出手段と、
上記画像データ部分及び上記差分データ部分を上記それぞれの量子化ステツプサイズに基づいて量子化することにより符号化データを生成する量子化手段と
を具えることを特徴とする符号化装置。
【請求項２】
上記フレーム画像は、全てフレーム間順方向予測符号化画像であり、上記画像データ部分がイントラスライスでなると共に、上記差分データ部分がインタースライスでなる
ことを特徴とする請求項１に記載の符号化装置。
【請求項３】
上記量子化値算出手段は、上記符号化データを復号する復号手段に設けられたバツフアに格納される上記符号化データの蓄積状態の推移を想定しながら上記バツフアを破綻させないように上記量子化ステツプサイズを決定する
ことを特徴とする請求項１に記載の符号化装置。
【請求項４】
所定領域からなる画像データ部分と、残りの領域の画像データと対応する参照フレームの同一領域における画像データとの差分からなる差分データ部分とに振り分けられたフレーム画像を量子化して符号化する符号化方法において、
上記フレーム画像の上記画像データ部分における実際の発生符号量及び上記差分データ部分における実際の発生符号量を算出し、
上記画像データ部分及び上記差分データ部分におけるそれぞれの上記実際の発生符号量に基づいて、次のフレーム画像における上記画像データ部分及び上記差分データ部分の目標発生符号量をそれぞれ算出し、
上記画像データ部分の目標発生符号量に対する実際の発生符号量の比率及び上記差分データ部分の目標発生符号量に対する実際の発生符号量の比率に基づいて、次のフレーム画像の画像データ部分を上記画像データ部分の目標発生符号量と同じ符号量に符号化する量子化ステツプサイズ及び上記次のフレーム画像の差分データ部分を上記差分データ部分の目標発生符号量と同じ符号量に符号化する量子化ステツプサイズをそれぞれ個別に算出し、
上記画像データ部分及び上記差分データ部分を上記それぞれの量子化ステツプサイズに基づいて量子化することにより符号化データを生成する
ことを特徴とする符号化方法。
【請求項５】
上記フレーム画像は、全てフレーム間順方向予測符号化画像であり、上記画像データ部分がイントラスライスでなると共に、上記差分データ部分がインタースライスでなる
ことを特徴とする請求項４に記載の符号化方法。
【請求項６】
所定領域からなる画像データ部分と、残りの領域の画像データと対応する参照フレームの同一領域における画像データとの差分からなる差分データ部分とに振り分けられたフレーム画像を量子化して符号化する符号化装置において、
次に符号化するフレーム画像の絵柄と１つ前のフレーム画像の絵柄とが変化したことを判定する画像判定手段と、
上記次に符号化するフレーム画像の絵柄が上記１つ前のフレーム画像の絵柄に対して変化した場合、復号器に設けられたバツフアに格納及び出力される符号化データの推移を想定する仮想バツフアの初期バツフア容量を初期化し、当該初期バツフア容量に基づいて上記次に符号化するフレーム画像における上記画像データ部分及び上記差分データ部分に対する量子化ステツプサイズをそれぞれ個別に算出する量子化値算出手段と、
上記画像データ部分及び上記差分データ部分をそれぞれの上記量子化ステツプサイズに基づいて量子化することにより符号化データを生成する量子化手段と
を具えることを特徴とする符号化装置。
【請求項７】
上記フレーム画像は、全てフレーム間順方向予測符号化画像であり、上記画像データ部分がイントラスライスでなると共に、上記差分データ部分がインタースライスでなる
ことを特徴とする請求項６に記載の符号化装置。
【請求項８】
上記量子化値算出手段は、上記復号器に設けられたバツフアに格納される上記符号化データの蓄積状態の推移を想定しながら上記バツフアを破綻させないように上記量子化ステツプサイズを決定する
ことを特徴とする請求項６に記載の符号化装置。
【請求項９】
所定領域からなる画像データ部分と、残りの領域の画像データと対応する参照フレームの同一領域における画像データとの差分からなる差分データ部分とに振り分けられたフレーム画像を量子化して符号化する符号化装置において、
次に符号化するフレーム画像の絵柄と１つ前のフレーム画像の絵柄とが変化したことを判定し、
上記次に符号化するフレーム画像の絵柄が上記１つ前のフレーム画像の絵柄に対して変化した場合、復号器に設けられたバツフアに格納及び出力される符号化データの推移を想定する仮想バツフアの初期バツフア容量を初期化し、当該初期バツフア容量に基づいて上記次に符号化するフレーム画像における上記画像データ部分及び上記差分データ部分に対する量子化ステツプサイズをそれぞれ個別に算出し、
上記画像データ部分及び上記差分データ部分をそれぞれの上記量子化ステツプサイズに基づいて量子化することにより符号化データを生成する
ことを特徴とする符号化方法。
【請求項１０】
上記フレーム画像は、全てフレーム間順方向予測符号化画像であり、上記画像データ部分がイントラスライスでなると共に、上記差分データ部分がインタースライスでなる
ことを特徴とする請求項９に記載の符号化方法。
【請求項１１】
画像データを符号化処理して符号化データを生成する符号化装置において、
上記画像データから、シーンチェンジが発生したピクチャを検出対象ピクチャとして検出する検出手段と、
上記検出手段により検出された上記検出対象ピクチャを対象として、上記符号化データを復号する復号手段の入力バッファに対応する仮想バッファの初期バッファ容量を更新処理する更新手段と、
上記更新手段により更新処理された初期バッファ容量に基づいて、上記検出対象ピクチャに対する量子化インデックスデータを符号化処理単位で算出する算出手段と、
上記算出手段により算出された上記量子化インデックスデータを用いて、上記検出対象ピクチャを符号化処理する符号化手段と
を具えることを特徴とする符号化装置。
【請求項１２】
上記検出手段は、符号化対象ピクチャと符号化対象ピクチャよりも１つ前のピクチャにおける輝度の差分値の合計値と輝度の平均値との差分値が閾値よりも大きい場合に、上記符号化対象ピクチャを上記検出対象ピクチャとして検出する
ことを特徴とする請求項１１に記載の符号化装置。
【請求項１３】
上記符号化手段は、上記画像データの全てのピクチャをPピクチャとして符号化処理する
ことを特徴とする請求項１１に記載の符号化装置。
【請求項１４】
上記符号化処理単位はスライスに対応するマクロブロックであり、
上記算出手段は、上記量子化インデックスデータをイントラスライス及びインタースライスに対応するマクロブロック毎に算出する
ことを特徴とする請求項１１に記載の符号化装置。
【請求項１５】
上記符号化手段は、MPEG２規格に準じたローディレイコーディングによって符号化処理する
ことを特徴とする請求項１１に記載の符号化装置。
【請求項１６】
上記符号化手段は、MPEG２規格に準じて符号化処理し、
上記仮想バッファは、VBVバッファである
ことを特徴とする請求項１１に記載の符号化装置。
【請求項１７】
画像データを符号化処理して符号化データを生成する符号化方法において、
上記画像データから、シーンチェンジが発生したピクチャを検出対象ピクチャとして検出する検出ステップと、
上記検出ステップにより検出された上記検出対象ピクチャを対象として、上記符号化データを復号する復号手段の入力バッファに対応する仮想バッファの初期バッファ容量を更新処理する更新ステップと、
上記更新ステップにより更新処理された初期バッファ容量に基づいて、上記検出対象ピクチャに対する量子化インデックスデータを符号化処理単位で算出する算出ステップと、
上記算出ステップにより算出された上記量子化インデックスデータを用いて、上記検出対象ピクチャを符号化処理する符号化ステップと
を具えることを特徴とする符号化方法。